(57)【要約】【課題】乾燥処理において、基板の表面へのウォーターマークの発生を抑制しながら基板を乾燥させることができる基板処理装置及び基板処理方法を提供する。【解決手段】基板処理装置１は、チャンバ部１１、内槽部１０、基板保持搬送部１５０を有し、洗浄後の基板を液中から基板保持搬送部によりチャンバ部内の雰囲気中に引き上げて乾燥させる。基板の引上げ中、基板の下方をカバーする泡止部材１５１により、内槽内に滞留する気泡の上昇を抑制し、基板表面に気泡を付着し難くする。基板保持搬送部１５０は、洗浄液中の基板を保持する第一保持部１３と、チャンバ部に移動した後に基板を保持する第二保持部１４を有し、チャンバ部では、乾燥状態の第二保持部１４が基板を保持する。その結果、基板表面に生じるウォーターマークの発生を抑えることができる。【選択図】図２
2019096784.tif 000002
【特許請求の範囲】
【請求項１】
基板を洗浄する洗浄液で満たされた内槽部と、内槽部の上部に連接され基板を内包する空間を有し内部に乾燥用気体を流通させるチャンバ部と、
前記基板を前記内槽部内並びにチャンバ部内で保持するとともに前記内槽部内と前記チャンバ部内に搬送する基板保持搬送部と、
前記基板が保持されたときその下方に位置し、少なくとも前記基板の上昇時に前記基板保持搬送部と連動して動き、基板の鉛直投影領域よりも広い領域をカバーする泡止部材と、
を具備することを特徴とする基板処理装置。
【請求項２】
上記チャンバ部には、上下動可能な天井部が設けられ、前記天井部、基板保持搬送部及び泡止部材を一定の距離を保って連動して上下方向に移動させるリフタ部を有することを特徴とする請求項１に記載の基板処理装置。
【請求項３】
前記基板保持搬送部は、前記内槽部内で前記基板を保持する第一保持部と、前記チャンバ部で前記基板を保持する第二保持部とを有し、前記基板および前記第一保持部が洗浄液から出る前後近傍で、第二保持部が前記基板を持ち替えて保持する機構を有することを特徴する請求項１又は２に記載の基板処理装置。
【請求項４】
前記泡止部材は、前記第一保持部とともに洗浄液面より上方に移動することを特徴とする請求項３に記載の基板処理装置。
【請求項５】
前記天井部は、乾燥用気体をチャンバ部内に供給する気体吹出口を有し、チャンバ部は乾燥用気体を排出する気体排出口を有することを特徴とする請求項２ないし４のいずれかに記載の基板処理装置。
【請求項６】
前記チャンバ部の気体排出口は、チャンバ部の側壁側の洗浄液面近傍に設けられていることを特徴とする請求項５に記載の基板乾燥装置。
【請求項７】
前記チャンバ部の側壁は、光透過性部材で作られ、外部には基板乾燥用の熱源が設けられていることを特徴とする請求項６に記載の基板処理装置。
【請求項８】
基板保持搬送部は、複数の基板を保持搬送でき、泡止部材は、複数の基板の鉛直投影領域を連続的にまたは個別に覆う板状部材であることを特徴とする請求項１ないし７のいずれかに記載の半導体処理装置。
【請求項９】
洗浄液に浸漬された基板の下方を基板の鉛直投影領域よりも広い領域を有する泡止部材でカバーし基板とともに上昇させて基板を洗浄液から引き上げる引上げ工程と、
その後基板を乾燥用気体中で乾燥させる乾燥工程と
を有することを特徴とする基板処理方法。
【請求項１０】
前記引上げ工程は、チャンバ部内で基板を洗浄液から引上げることにより行われ、前記チャンバ部には基板と一定の間隔を保って上下動し乾燥用気体の吹出口を有する上下動可能な天井部が設けられていることを特徴とする請求項９に記載の基板処理方法。
【請求項１１】
前記基板は、基板保持搬送部により搬送され、引上げ工程中前記基板を洗浄液中で保持する第一保持部と、乾燥工程中前記基板を乾燥用気体中で保持する第二保持部を具備し、引上げ工程から乾燥工程に移行する前後近傍において第二保持部が第一保持部の上方に移動して基板を持ち替えて保持することを特徴とする請求項９または１０に記載の基板処理方法。
【請求項１２】
前記第二保持部は、前記基板と当接する部分が乾燥した状態で、第一保持部から基板を持ち替えて保持することを特徴とする請求項１１に記載の基板処理方法。
【請求項１３】
前記第一保持部と前記泡止部材とが、一定の距離を保って連動することを特徴とする請求項１１に記載の基板処理方法。
【請求項１４】
乾燥用気体は、前記基板の上方から前記基板に向けて吹出され、基板の横方向から排出されることを特徴とする請求項１０に記載の基板の基板処理方法。
【発明の詳細な説明】
【技術分野】
【０００１】
本発明は、半導体ウェハ基板や液晶用基板（以下、単に「基板」と称する）に対する洗浄処理を行った後に洗浄液に浸された基板を引上げて乾燥させる基板処理装置及び基板処理方法に関する。
【背景技術】
【０００２】
従来、基板の製造工程においては、基板の表面に回路やパターンを形成するため、露光処理や現像処理、エッチング処理などが行われる。この様な処理では、基板の表面に現像液やエッチング用の薬液などが用いられ、これらの薬品を除去するために、後工程においてさらに洗浄と乾燥の処理が行われる。
【０００３】
従来、基板の表面に付着した洗浄液を後工程において乾燥除去する基板処理装置として、洗浄を行った後の基板を洗浄液の液中に浸漬せしめ、その後、基板を洗浄液より引上げて乾燥させる装置が提案されている。
【０００４】
この種の乾燥処理装置として、洗浄液を貯留して基板を浸漬する処理槽と、処理槽の上部の空間の周囲を囲ったチャンバ部と、チャンバ部の上部から不活性ガスをチャンバ内に供給する気体供給口と、チャンバ部内の雰囲気の温度を高める熱源部と、チャンバ部内の不活性ガスと蒸気とを排出する排出口とを備えた乾燥処理装置も提案されている。
【先行技術文献】
【特許文献】
【０００５】
【特許文献１】特開２００７−２７３８１９号公報
【特許文献２】特公平０６―１０３６８６号公報
【特許文献３】特開平０１−１３０７７１号公報
【発明の概要】
【発明が解決しようとする課題】
【０００６】
特許文献１に記載されているような構成を有する従来例の場合には、次のような問題がある。
従来の装置は、洗浄液に基板の洗浄処理時に発生した気泡が含まれており、基板の表面に酸化膜が生じてウォーターマークが発生する。
また、これら気泡は、内槽部の底面から上昇し液面の付近に浮遊し、洗浄液から引上げられた基板に気泡が付着する、あるいは、洗浄液面で気泡が破裂して基板の表面に液滴が飛散するなど洗浄後の清浄な基板が汚染される恐れがある。
【０００７】
特許文献２に記載されている構成を有する従来例の場合には、次のような問題がある。
従来の装置は、基板を洗浄液中より順次露出させながら、基板の乾燥を行う基板乾燥装置では、窒素ガスを媒介してイソプロピルアルコール（以下、単に「ＩＰＡ」と称する）を気化させて蒸気とし、エッチング処理後に洗浄液で洗浄された基板の処理槽の上部空間内に供給されている。その後、処理槽の洗浄液を処理槽底部から排水することにより、処理槽内で基板を露出させ、処理槽の上部空間に供給されたＩＰＡ蒸気が露出された基板の表面に付着した水滴と置換されるため、基板の表面が酸素に触れて酸化すること無く、基板が乾燥される。
【０００８】
また、処理槽の洗浄液を処理槽底部から排水されることにより、洗浄液面を下げるのではなく、基板を処理槽液面より引上げることにより、チャンバ部内に基板を露出させ、チャンバ部内の空間に供給された高濃度ＩＰＡ蒸気が露出された基板の表面に付着した水滴と置換されて、基板の表面が酸素に触れて酸化すること無く、基板を乾燥させるようにしている乾燥装置もある。
【０００９】
しかしながら、上記排水により基板を露出させる構造のものでは、基板を洗浄時に発生した気泡が処理槽の洗浄液面の近傍に浮遊した状態となるが、処理槽内における底部近傍の洗浄液から順次排水が行われて、浮遊している気泡が最後に排水されることとなるため、浮遊した気泡が露出した基板の表面に付着し、付着部分の基板にウォーターマーク等の乾燥欠陥が生じる場合がある。
【００１０】
また、処理槽内の洗浄液面よりの引上げによる基板の露出時に、同様に気泡が基板の表面に付着し、基板にウォーターマーク等の乾燥欠陥が生じる場合がある。
【００１１】
特許文献３に記載されているような構成を有する従来例の場合には、次のような問題がある。
従来の装置は、基板が洗浄液から取り出されて乾燥時に、処理室内の雰囲気に高純度の空気を提供している。空気には酸素が含まれていることから、当該装置では被処理基板は比較的大量の酸素が存在する状況下において乾燥処理されることとなる。酸素が基板の表面の洗浄液に溶け出し、基板素材のシリコンと化学反応を起こすことで、基板にウォーターマーク等の乾燥欠陥が生じる場合がある。
【００１２】
また、乾燥を行うチャンバ部の上部には、特許文献１に記載のように、スライド式開閉機構が設けられ、上部を覆う部材をスライド機構で水平方向に開閉して基板の搬出入を行い、チャンバ部内に搬入された基板は上下方向に移動される。そのため、処理装置は、水平方向に移動する駆動機構と、上下方向に移動する駆動機構が必要となり、駆動方向が二軸方向となるので、構成が複雑で経済的に得にくい。
【００１３】
その上、特許文献１に記載のように、チャンバ部に乾燥用気体を供給する供給口がチャンバ部の上部に固定されているから、基板に充分に気体を作用させるためには、気体の供給圧を高めなければならない。その結果、騒音が発生したり、気体が乱流となって洗浄液の表面が乱れ、ウォーターマークの発生の原因となることがある。
【００１４】
本発明の解決課題は、基板に乾燥欠損が生じることを十分に防止することができ、かつ経済的に得られる基板処理装置及び基板処理方法を提供することである。
【課題を解決するための手段】
【００１５】
上記の課題を解決するために、請求項１の発明は、基板に所定の処理を行う基板処理装置であって、基板を洗浄する洗浄液で満たされた内槽部と、内槽部の上部に連接され前記基板を内包する空間を有し内部に乾燥用気体を流通させるチャンバ部と、前記基板を前記内槽部内並びに前記チャンバ部内で保持するとともに前記内槽部内と前記チャンバ部内に搬送する基板保持搬送部と、前記基板が保持されたときにその下方に位置し、少なくとも前記基板の上昇時に前記基板保持搬送部と連動して動き、基板の鉛直投影領域よりも広い領域をカバーする泡止部材を具備する。
【００１６】
請求項２に記載の基板処理装置は、請求項１において、上記チャンバ部には、上下動可能な天井部が設けられ、前記天井部、基板保持搬送部及び泡止部材を一定の距離を保って連動して上下方向に移動させるリフタ部を有する。
【００１７】
請求項３に記載の基板処理装置は、請求項１又は２において、前記内槽部内で前記基板を保持する第一保持部と、前記チャンバ部で前記基板を保持する第二保持部とを有し、前記基板および前記第一保持部が洗浄液から出る前後近傍で、第二保持部が前記基板を持ち替えて保持する機構を有する。
【００１８】
請求項４に記載の基板処理装置は、請求項３において、前記泡止部材は、前記第一保持部とともに洗浄液面より上方に移動する。
【００１９】
請求項５に記載の基板処理装置は、請求項２ないし４のいずれかにおいて、前記天井部は前記チャンバ部内に乾燥用気体を供給する気体吹出口を有し、前記チャンバ部は、乾燥用気体を排出する気体排出口を有している。
【００２０】
請求項６に記載の基板処理装置は、請求項５において、前記チャンバ部の気体排出口は、チャンバ部の側壁側の洗浄液面近傍に設けられている。
【００２１】
請求項７に記載の基板処理装置は、請求項６において、前記チャンバ部の側壁は光透過性部材で作られ、外部には基板乾燥用の熱源が設けられている。
【００２２】
請求項８に記載の基板処理装置は、請求項１ないし７のいずれかにおいて、基板保持搬送部は、複数の基板を保持搬送でき、泡止部材は、複数の基板の鉛直投影領域を連続的にまたは個別に覆う板状部材である。
【００２３】
請求項９に記載の基板処理方法は、基板に所定の処理を行う基板処理方法であって、洗浄液に浸漬された基板の下方を基板の鉛直投影領域よりも広い領域を有する泡止部材でカバーし基板とともに上昇させて基板を洗浄液から引き上げる引上げ工程と、その後基板を乾燥用気体中で乾燥させる乾燥工程とを有する。
【００２４】
請求項１０に記載の基板処理方法は、請求項９において、前記引上げ工程は、チャンバ部内で前記基板を前記洗浄液から引き上げることにより行われ、前記チャンバ部には基板と一定の間隔を保って上昇し乾燥用気体の吹出口を有する上下動可能な天井部が設けられている。
【００２５】
請求項１１に記載の基板処理方法は、請求項９または１０において、前記基板は、基板保持搬送部により搬送され、引上げ工程中前記基板を洗浄液中で保持する第一保持部と、乾燥工程中前記基板を乾燥気体中で保持する第二保持部を具備し、引上げ工程から乾燥工程に移行する前後近傍において、第二保持部が第一保持部の上方に移動して基板を保持する。
【００２６】
請求項１２に記載の基板処理方法は、請求項１１において、前記第二保持部は、前記基板と当接する部分が乾燥した状態で、第一保持部から基板を持ち替えて保持する。
【００２７】
請求項１３に記載の基板処理方法は、請求項１１において、前記第一保持部と前記泡止部材とが、一定の距離を保って連動する。
【００２８】
請求項１４に記載の基板処理方法は、請求項１０において、乾燥用気体は、前記基板の上方から前記基板に向けて吹き出され、基板の横方向から排出される。
【発明の効果】
【００２９】
本発明の請求項１に記載の基板処理装置によれば、洗浄液に浸漬した基板を洗浄液面より引上げてチャンバ部に露出させる際に、基板の下方に基板の鉛直投影領域よりも広い領域をカバーする泡止部材を設けて基板とともに連動して上昇させることで、洗浄液中を上昇する基板に気泡が付着し難くなり、さらに、洗浄液面で気泡が破裂して飛散した水滴が基板に付着することがないため、洗浄後の基板の汚染を抑制する効果がある。
【００３０】
さらに、請求項２に記載の基板処理装置によれば、チャンバ部に上下動可能に設けた天井部と基板保持搬送部と泡止部材を、一定の距離を保ってリフタ部により上下方向に移動するようにしたから、基板の移動が安定しており、かつ各部材の移動が一軸方向となるので、駆動機構が簡単になり、経済的に得やすい。
【００３１】
請求項３によれば、基板保持搬送部を、内槽部内で前記基板を保持する第一保持部と、チャンバ部内で前記基板を保持する第二保持部で構成し、基板および第一保持部が洗浄液から出る前後近傍で、乾燥した第二保持部が前記基板を第一保持部から持ち替えて保持するようにしたので、乾燥処理するチャンバ部内で、湿潤状態の第一保持部が基板に接触することがなく、基板の表面の未乾燥部分がなくなり、基板の端部に至るまでウォーターマーク発生を抑制する効果がある。
【００３２】
さらに、請求項４に記載の基板処理装置によれば、第一保持部と泡止部材は、一定の距離を保ちながら連動するから、内槽部底面から上昇する気泡が泡止部材により基板より遠ざかり、気泡が基板の表面へ付着し難く、また、洗浄液面から露出して乾燥し始めた基板の近傍に気泡が接近しにくくなる。その上、チャンバ部内に露出された泡止部材はその表面全体が乾燥された状態に置かれるので、洗浄液中に泡止部材を浸漬させた時に、泡止部材の表面に気泡が発生し難くなる。このように気泡に発生が抑えられるから、基板の近傍で気泡が破裂して飛散した気泡の水滴が、乾燥し始めた基板の表面へ付着することがなくなり、これらにより、基板の表面へのウォーターマークの発生を抑制する効果がある。
【００３３】
さらに、請求項５に記載の基板処理装置によれば、天井部には乾燥用気体をチャンバ部内に供給する気体吹出口があり、チャンバ部には乾燥用気体を排出する気体排出口が設けられているので、天井部は乾燥用気体を吹き出しながら拡散移動するディフーザーとして機能する。そして、前記天井部と基板は一定間隔を保ってリフタ部で連動して移動するので、気体が供給されるチャンバ部の空間容積を縮小することができ、天井部から吹き出す気体を層流状態で供給することが可能である。そのため、気体の流れによって洗浄液面が乱れるようなことがない。また、請求項６に記載のように、気体排出口を洗浄液面近傍に設けることより、洗浄液面から発生する蒸気がチャンバ部内を上昇する前に、蒸気を気体排出口から効率的に排気でき、チャンバ部内における乾燥用気体の水分濃度を略一定に保つことが出来る。これらにより、ウォーターマークの発生を抑制する効果が得られる。
【００３４】
さらに、請求項７に記載の基板処理装置によれば、チャンバ部の側壁を光透過性部材で構成し、外部に基板乾燥用の熱源を設けると、チャンバ部内の構成が簡素化され、天井部等の移動に支障を生じるおそれもない。
【００３５】
さらに、請求項８に記載の基板処理装置によれば、基板保持搬送部は、複数の基板を保持搬送でき、泡止部材は、複数の基板の鉛直投影領域を連続的にまたは個別に覆う板状部材であるから、複数の基板の鉛直投影領域を連続的にまたは個別に覆うことができ、内槽部底面から上昇する気泡を確実に基板より遠ざけ、気泡が基板の表面へ付着し難くなり、気泡が破裂して飛散した気泡の水滴の拡散を防止することができる。
【００３６】
さらに、請求項９に記載の基板処理方法によれば、基板に所定の処理を行う基板処理方法であって、洗浄液に浸漬された基板の下方を基板の鉛直投影領域よりも広い領域を有する泡止部材でカバーし基板とともに上昇させて基板を引き上げ、その後乾燥気体中で乾燥させるようにしたので、引上げる際に洗浄液より上昇する気泡を基板より遠ざけることができ、気泡が基板の表面へ付着しにくく、気泡が破裂して飛散した気泡の水滴が、基板の表面に付着して酸化膜を発生することがないため、ウォーターマーク発生を抑制する効果がある。気泡が付着していない状態で乾燥処理を行うことができるから、基板を短時間で乾燥させる効果が得られる。
【００３７】
請求項１０に記載の基板の処理方法によれば、引上げ工程を行うチャンバ部には、基板と一定の間隔と保って上下動しかつ乾燥用気体の吹出口を有する天井部が設けられているので、洗浄液面との空間容積を縮小することができ、乾燥用気体を層流状態で基板に吹き付けて効率よく乾燥させることができる。
【００３８】
請求項１１、１２に記載の基板処理方法によれば、引上げ工程中基板を第一保持部で洗浄液中に保持し、洗浄液面に露出してから乾燥工程に移行する前後近傍において第二保持部が第一保持部の上方に移動して基板を持ち替えて保持するから、第二保持部が完全に乾いた状態で、基板を保持することができ、基板の表面に水分が残留することがなく、基板の表面の未乾燥部分の発生を抑制する効果がある。
【００３９】
さらに、請求項１３に記載の基板処理方法によれば、第一保持部と泡止部材とが、一定の距離を保って連動し、これらに連動する泡止部材も天井部と連動して上下動するから、これらの部材を駆動する駆動機構の駆動方向が一軸方向となり、装置を簡素化することができる。
【００４０】
さらに、請求項１４に記載の基板処理方法によれば、乾燥用気体が、基板の上方から基板に吹き付けられ、基板の横方向から排出されることで、基板の表面と乾燥用気体の接触面の接触性が均一になり、基板の表面が全面にわたって均一な乾燥状態となる効果が得られる。
【図面の簡単な説明】
【００４１】
【図１】本発明に係る基板処理装置の一実施例を示す概略図であり、内槽部内の洗浄処理位置に基板が位置された状態を示す図である。
【図２】図１に示す基板処理装置において、チャンバ部内の乾燥処理位置に基板が位置された状態を示す概略図である。
【図３】基板保持搬送部の第一保持部と第二保持部と上部の図示を省略したリフタ部との関連を示す構造図である。
【図４】基板保持搬送部の第一保持部と第二保持部とリフタ部の構成を示し、図３のＡ−Ａ線平面図である。
【図５】引上げ工程から乾燥工程において、第一保持部と第二保持部が基板を持ち替える機構の動作を示す説明図である。
【図６】基板処理装置の動作を示すフローチャートである。
【発明を実施するための形態】
【００４２】
まず、本発明に係る実施の形態を説明するにあたり、本明細書で用いられる用語の定義について説明する。
【００４３】
本明細書における用語「ウォーターマーク」とは、物体の表面に残留した水分が蒸発する過程で上記表面に形成された染み（酸化膜）をいうものとする。
【００４４】
本明細書における用語「液滴」とは、物体の表面に付着した液体のうちの大略粒状の液体をいうものとする。また、本発明の明細書における用語「水分」とは、物体表面に付着した液体のうちの目視にて確認ができないような大略粒状の液体のことをいうものとする。
【００４５】
本明細書における用語「気泡」とは、液体の内部や表面にできる、気体を含んだ泡をいうものとする。
【００４６】
以下に、本発明の一実施例について、添付の図面を参照して詳細に説明するが、本発明は下記の実施例に限定されるものではない。
【００４７】
本発明の基板処理装置の説明において、基板とは、半導体ウェハ、フォトマスク用ガラス基板、液晶表示装置用ガラス基板、石英ガラス基板、光ディスク基板、磁気ディスク用基板、光学水晶基板、水晶発振子、光学ローパスフィルタ等をいう。
【００４８】
本発明の一実施例を示す図１、図２において、基板処理装置１は、チャンバ部１１、内槽部１０、第一保持部１３及び第二保持部１４を有する基板保持搬送部１５０、天井部１２、気体吹出口１２０、泡止部材１５１、気体排出口１１１、熱源部１１０を備える。また、前記基板保持搬送部１５０、天井部１２及び泡止部材１５１は、それぞれリフタ部１６に保持され、このリフタ部により連動して上下方向に移動する。
【００４９】
チャンバ部１１の側壁は、好ましくは、例えば、石英などの光透過性部材を用いて構成され、その内部に基板を内包できる空間部が形成されており、基板処理装置１が基板１９に対して所定の処理（洗浄処理や乾燥処理など）を行う場合に、基板１９の周辺雰囲気（チャンバ部１１内の雰囲気）と外部雰囲気とを隔離するための処理室として機能する。チャンバ部の下部には、洗浄液を溜めるための内槽部１０が設けられている。
【００５０】
前記天井部１２は、チャンバ部の上方の開口部をほぼ覆いかつチャンバ部内に入り込む大きさに形成され、上下動可能に設けられている。この天井部１２は、基板をチャンバ部１１内に搬出入する際に、天井部の下方に搬出入空間が形成できる位置までリフタ部１６によりチャンバ部１１の上部外方に上昇され、基板を洗浄液に浸漬する際は、チャンバ部内の下方に向けて降下する。なお、天井部がチャンバ部の外方に移動したとき、天井部を反転、旋回等させてチャンバ部の上面の開口部を全開するようにしてもよい。
【００５１】
本実施の形態では、基板１９を洗浄する洗浄液としては、純水、炭酸水、水素水、電解イオン水その他基板１９上に作られた形成膜の種類などに応じて好適な洗浄液が適宜、選択的に用いられる。
【００５２】
前記天井部１２の上面中央には、乾燥用気体を流入させる開口部(図示略)が設けられている。この開口部から天井部１２内に入った乾燥用気体は、天井部内に設けた隔板(図示略)等によって流動を調整して天井部の下面全体に設けた気体吹出１２０よりチャンバ部１１内に供給される。このように天井部１２は、乾燥用気体を拡散させるディフーザーとして機能する。気体吹出口１２０による乾燥用気体の供給は、供給される乾燥用気体によって、内槽部１０の洗浄液面が波立たない程度の層流になるように調整される。
【００５３】
なお、乾燥用気体としては加温した窒素ガス等の不活性ガスや、不活性ガスに代えて、例えばドライエアＤＦを用いても良いし、ＩＰＡ蒸気を用いても良く、被乾燥物の種類などに応じて適宜、選択的に用いられる。
【００５４】
前記熱源部１１０は、チャンバ部１１の外部に設けられており、赤外線を放射する。放射された熱は、好ましくは光透過性部材で構成されたチャンバ部１１の側壁を通して、遮蔽されることなく、図１、図２において点線矢印で示す方向に直進し、チャンバ部の空間部内の雰囲気（主に乾燥用気体および蒸気から構成される）を加熱する。
【００５５】
上記のように、チャンバ部１１内の温度を調整する熱源部１１０を、チャンバ部１１の外部に設けることにより、チャンバ部１１の内部が簡素化され、内部を洗浄したりメンテナンスする際に、作業を容易に行うことができ、また上下動する天井部の移動の妨げになることもない。
【００５６】
上記構成により、制御部１８により赤外線放射の出力または出射時間を制御すれば、チャンバ部１１内の雰囲気を最適の温度に調整することができ、チャンバ部１１内を所定の温度（加温状態）に保つことができるとともに、乾燥処理中の基板１９の温度降下が抑制され、乾燥効率を向上させることができる。
【００５７】
内槽部１０の洗浄液の循環ユニット１７は、内槽部１０内の洗浄液を回収する補助槽部１７０、洗浄液を加熱する加熱装置１７１、洗浄液をろ過する浄化装置１７２を備えている。循環ユニット１７は、制御部１８からの制御に基づいて、加熱装置１７１により洗浄液を所定の温度に加熱しながら、加熱された洗浄液から浄化装置１７２により不純物などを取り除く浄化処理を行う。このようにして生成され浄化された加熱洗浄液（以下、単に「洗浄液」と称する）は、液配管機構を介して内槽部１０に供給される。循環ユニット１７が洗浄液を供給する流量は制御部１８からの制御により、内槽部１０内の洗浄液面が波立つことのない程度の流量に調整されている。
【００５８】
このように、循環ユニット１７が所定の温度に加熱された洗浄液を内槽部１０に供給することにより、洗浄液に基板１９を浸漬して基板１９の温度を昇温し、蓄熱させることができる。また、浄化装置１７２が洗浄液を浄化処理し、循環ユニット１７が内槽部１０に供給する洗浄液に含まれる不純物の残留を抑制することにより、基板１９の乾燥ムラを抑制することができる。なお、加熱装置１７１としては、洗浄液に含まれる気泡の発生を抑制するよう加熱時に内沸や突沸の発生を抑制することができる機能がある加熱装置１７１を用いることが好ましい。
【００５９】
また、循環ユニット１７は、液配管機構により内槽部１０と補助槽部１７０とに接続されている。液配管機構には、図示しない複数の電磁弁が所定の位置に適宜設けられており、内槽部１０に溜められた液体を循環する際に制御部１８がこれらの電磁弁を必要に応じて制御する。なお、本実施の形態における基板処理装置１では、内槽部１０から排出される洗浄液はすべて循環ユニット１７に回収されるよう循環系を構成している。
【００６０】
また、図に示すように、実施例においては、好ましくは、補助槽部１７０をさらに備えており、この補助槽部１７０には、内槽部１０の少なくとも一部の上端に洗浄液が達した後、内槽部１０の側壁の上端よりもわずかに高くなると、内槽部１０の側壁の上端から補助槽１７０に流入する。これにより、洗浄液を効率的に回収することができる。
【００６１】
前記気体排出口１１１は、洗浄液の液面近くに開口しているので、図２に示すように天井部が上昇しているとき気体吹出口１２０からチャンバ部１１内に供給された乾燥用気体は、天井部１２が下降したとき、内槽部１０の洗浄液面上の空間容積が縮小される結果、内槽部１０の洗浄液面より発生した蒸気とともに気体排出口１１１から装置外に排気される。
【００６２】
リフタ部１６は、基板保持搬送部１５０、泡止部材１５１及び天井部１２を支持しているので、基板１９を洗浄液に浸漬させる浸漬工程において、また、基板１９を洗浄液から引上げる引上げ工程において、基板保持搬送部１５０、泡止部材１５１及び天井部１２を連動して上下移動させることができる。このように、天井部１２、基板１９、基板保持搬送部１５０及び泡止部材１５１を、リフタ部１６により連動して一軸的に移動するので、構成が簡単であり、経済的に作ることができる。
【００６３】
基板保持搬送部１５０は、内槽部１０内で基板１９を保持する第一保持部１３と、チャンバ部１１で基板１９を保持する第二保持部１４を具備し、基板１９および第一保持部１３が洗浄液から出てチャンバ部１１に移動する前後近傍で、第二保持部１４が第一保持部１３から基板１９を持ち替える持ち替え機構を有している。第一保持部１３と第二保持部１４は、棒状若しくは枠状等の適宜の形状に形成され、平面から見て第二保持部１４が第一保持部１３の外側に位置するように設けられている。
【００６４】
また、前記第一保持部１３と第二保持部１４は、夫々が基板１９の上下移動の過程で適宜に基板１９の下端部と当接することにより、基板１９の表面が内槽部１０の洗浄液面の鉛直方向と略平行となるように基板１９を保持する複数の受溝（保持溝）（図示略）を有している。なお、図１、図２、図５では一枚の基板１９のみ図示しているが、本実施の形態における基板処理装置１は、内槽部１０の洗浄液面の鉛直方向に複数の基板が互いに略平行状態で、第一保持部１３または第二保持部１４により保持するよう構成され、複数の基板を同時に処理できる
【００６５】
また、持ち替え機構として、図３に示すように、基板保持搬送部は、第一保持部１３を駆動する部分と、エアシリンダ１５２を介して第二保持部１４を独立して駆動する部分により構成されている。図示を省略したが、前記エアシリンダ１５２は、圧縮空気の給気及び排気を行う圧縮空気供給部を備えている。この圧縮空気供給部は前記制御部１８により制御され、圧縮空気供給部によりエアシリンダ１５２内に圧縮空気を供給することにより、エアシリンダ１５２のピストンを、第一保持部１３を支持する基板保持搬送部１５０に沿って上昇し、これにより第二保持部１４が第一保持部１３より上に上昇する。また、エアシリンダ１５２内に供給される圧縮空気の方向を切り替えることにより、エアシリンダ１５２のピストンが基板保持搬送部１５０に沿って下降し、第二保持部１４が第一保持部１３より下に下降する。
【００６６】
エアシリンダ１５２の下降の開始は、基板１９を洗浄液に浸漬する浸漬工程において、チャンバ部１１内で基板１９を保持する第二保持部１４がチャンバ部から内槽部１０内に浸漬するときに、基板１９が第一保持部１３に持ち替られるよう圧縮空気供給部からエアシリンダ１５２内に圧縮空気を供給して、エアシリンダ１５２のピストンを降下し、第二保持部１４を第一保持部１３よりも下げて、内槽部１０内の洗浄液中において、第一保持部１３が基板１９を保持（ステップＳ５）する。
【００６７】
また、エアシリンダ１５２の上昇の開始は、基板１９を洗浄液から引上げる引上げ工程において、内槽部１０内で基板１９を保持する第一保持部１３が洗浄液から出てチャンバ部１１に移動する前後近傍で、圧縮空気供給部からエアシリンダ１５２内に圧縮空気を供給して、エアシリンダ１５２のピストンを上昇させ、チャンバ部１１内において、第二保持部１４を第一保持部１３よりも上昇させて基板１９を第一保持部１３から持ち替えて保持（ステップＳ１２）する。
【００６８】
なお、実施例においては、上記第二保持部１４は、エアシリンダ１５２を用いた機構により適時に第一保持部１３の上下に移動するよう構成してあるが、その他の公知の昇降機構、例えば、油圧を用いた昇降機構やボールねじ軸を用いた昇降機構、ロボシリンダ等により構成しても良い。
【００６９】
上記のように基板保持搬送部１５０は、第一保持部１３と第二保持部１４が、基板１９の上下移動の過程で適時に基板１９を保持した状態で、基板１９を内槽部１０の洗浄液面の鉛直方向に昇降させる。すなわち、内槽部１０内に所定量の洗浄液が存在する状態において、基板１９を内槽部１０内の洗浄処理位置（図１に示す位置）に保持して、基板１９の全体を洗浄液に浸漬した状態にする。また、基板１９がチャンバ部１１内の乾燥処理位置（図２に示す位置）にある場合には、基板１９の全体を液体から引上げた状態とする。
【００７０】
泡止部材１５１は、基板１９を洗浄液から引上げる引上げ工程において、基板保持搬送部１５０と連動して上昇し、洗浄液中を浮遊し上昇する気泡を基板１９から遠ざけ、基板１９の表面にウォーターマークを発生し難くさせる。なお、上述したように、前記基板保持搬送部１５０と泡止部材１５１は、前記天井部１２とともに、一定の距離を保った状態で連動して上下方向に移動する。この泡止部材１５１は、基板保持搬送部１５０の下方のリフタ部に保持され、平面もしくは曲面で構成された板状部材、若しくは、メッシュの板であり、基板保持搬送部１５０に並列状態で保持された複数の基板を上部から投影した面積と少なくとも同等あるいは好ましくはそれより大きい面積をカバーし、連続的に若しくは個別的に基板を覆うことができる大きさを持っている。
【００７１】
内槽部内の底面近傍に、泡止部材１５１を固定して設けた場合、時間の経過とともに洗浄液中で泡止部材１５１の表面に気泡が発生して付着し、気泡が増加するとともに、気泡と気泡とが次々に重合して大きくなり、気泡の拡大に伴い気泡の浮力が上昇することで、泡止部材１５１の表面から気泡が離脱して浮遊と上昇が始まる。そして、基板の引上げ工程において、上昇中の基板１９が洗浄液中を通過する過程で、基板１９の表面に気泡が付着するとともに、洗浄液面から露出されて乾燥し始めた基板１９の近傍で、気泡が破裂して飛散し、その水滴が、乾燥された基板１９の表面へ付着してウォーターマークの原因となるなどの問題がある。しかし、本発明の基板処理装置１は、泡止部材１５１が洗浄液中に留まる時間は基板１９の洗浄処理中だけであり、それ以外は、泡止部材１５１は基板とともに上昇してチャンバ部１１内に露出されるため、表面全体が乾燥された状態になっている。浸漬工程においては、第一保持部１３と、表面が乾燥された状態の泡止部材１５１が連動して洗浄液中に浸漬され、洗浄処理後は、泡止部材１５１の表面に気泡が付着し難い状態で、泡止部材１５１が第一保持部１３と連動して上昇するため、泡止部材１５１の表面から離脱した気泡が基板の表面へ付着することもない。そのため、洗浄液面から露出され乾燥し始めた基板１９の近傍で、気泡が破裂したり、飛散した気泡の水滴が、乾燥し始めた基板１９の表面へ付着しにくくなり、ウォーターマークの発生を抑えることができる。
【００７２】
制御部１８は、基板処理装置１の内部に設けられ、図示しないケーブルにより基板保持搬送部１５０、天井部１２、気体吹出口１２０、リフタ部１６、熱源部１１０などの各構成部分と信号のやり取りが可能な状態で接続され、基板１９を内槽部１０内の洗浄液に浸漬せしめてから、洗浄終了する時間を予め測定しておき、この時間が経過することにより、基板１９の引上げ開始タイミングを判断する。また、プログラムや各種データを記憶するとともに、当該プログラムに従って各種データを適宜処理することによって制御信号を生成し、それらの構成を制御する。なお、プログラムや各種データは、それらの情報を一時的に記憶する随時アクセス記憶素子、読み取り専用の記憶素子、および磁気ディスク装置などにより記憶される。
【００７３】
次に、基板処理装置１において実行される基板１９に対する処理動作を説明する。図６は、本実施の形態における基板処理装置１の動作を示すフローチャート図である。なお、以下に示す各構成の動作制御は、特に断らない限り制御部１８により行われるものとする。
【００７４】
まず、基板処理装置１は、図６に示す処理に先立って、供給する乾燥用気体や洗浄液の温度の設定など、所定の初期設定を行った後、送風機構を始動することにより天井部１２に設けられた気体吹出口１２０から乾燥用気体をチャンバ部１１内に供給する。
【００７５】
天井部１２は、天井部の下方に搬出入空間(図示略)が出現するようリフタ部１６によりチャンバ部１１の開口部よりも突出する位置まで上方に移動され、この搬出入空間を通して図示しない搬送手段により第二保持部１４に基板１９を運び入れる。その後、リフタ部により天井部１２、基板保持搬送部１５０を降下させて基板１９をチャンバ部１１内で保持（ステップＳ１）する。
【００７６】
次に、天井部１２と上記基板保持搬送部１５０と泡止部材１５１は連動して下降（ステップＳ２）し、天井部１２に設けられた気体吹出口１２０から乾燥用気体がチャンバ部１１内に供給され、内槽部１０の洗浄液面上の空間が狭められ、空間内の乾燥用気体や蒸気は気体排出口１１１から排気される。
【００７７】
次に、基板処理装置１は、基板１９の下降と連動して、泡止部材１５１を洗浄液中に浸漬（ステップＳ３）し、さらに、基板保持搬送部１５０は基板１９を内槽部内の洗浄液に浸漬（ステップＳ４）させる。
【００７８】
上記下降の途中で、第二保持部１４が第一保持部１３よりも下方に移動することにより基板１９が内槽部１０内の洗浄液に浸漬し始めてからは、基板１９は第一保持部１３に持ち替えて保持（ステップＳ５）され、基板１９は内槽部１０内の洗浄処理位置（図１に示す位置）に位置（ステップＳ６）される。
【００７９】
次に、基板処理装置１は、チャンバ部１１内に搬入された基板１９に対して洗浄液による洗浄を行う。制御部１８により設定された所定の時間経過後、洗浄処理を終了（ステップＳ７）する。
【００８０】
次に、基板処理装置１は、制御部１８により基板保持搬送部１５０を上昇させ、基板１９を洗浄液から引上げる。この引上げ工程において、天井部１２と基板保持搬送部１５０と泡止部材１５１は連動して等速で上昇し、基板１９は上昇（ステップＳ８）し始める。
【００８１】
次に、基板処理装置１は、第一保持部１３の上昇にともなって基板１９は液面から引上げられてチャンバ部１１に露出（ステップＳ９）する。
【００８２】
次に、基板処理装置１は、基板１９を洗浄液から引上げる引上げ工程の前後近傍において、第二保持部１４が第一保持部１３の上方に移動し、第二保持部１４がチャンバ部１１内に露出（ステップＳ１０）し、第二保持部１４の表面の乾燥が始まり（ステップＳ１１）、乾燥された状態の第二保持部１４が基板１９を持ち替えて保持（ステップＳ１２）する。
【００８３】
前記基板１９を洗浄液から引上げる引上げ工程において、泡止部材１５１は基板保持搬送部１５０と連動して等速で上昇し、チャンバ部内に露出（ステップＳ１３）する。
【００８４】
次に、基板１は、天井部１２の気体吹出口１２０から拡散されて液面と天井部間の狭い空間を満たしている乾燥用気体と、チャンバ部外に設けた熱源部１１０から放射される熱により、表面が乾燥（ステップＳ１４）される。
【００８５】
チャンバ部１１内の乾燥処理位置（図２に示す位置）に基板１９が位置されてから所定の時間が経過し、基板１９の乾燥が完了すると、乾燥用気体の供給および熱源部１１０から熱の放射を停止（ステップＳ１５）する。
【００８６】
その後、天井部はチャンバ部のさらに上方に移動し、基板は搬送手段で基板保持搬送部から取り出され、以後、上述のようにして、次の基板が搬入される。
【００８７】
基板１９を洗浄液から引上げる引上げ工程において、基板１９を保持する保持部を、基板１９が内槽部１０内の洗浄液に浸漬されている状態と、洗浄液面上の空間に完全に露出された状態とで基板１９を持ち替える持ち替え機構を有しない場合は、基板１９と保持部とが接触する部分が湿潤な状態のまま、基板１９をチャンバ部１１内の乾燥処理位置（図２に示す位置）に搬送することとなるから、上記接触部分が湿潤な状態のため、基板１９の表面にウォーターマークを発生する原因となる。しかし、本発明では、基板１９を持ち替える機構を設けることにより、チャンバ部１１内で第二保持部が露出して表面の乾燥が始まり、乾燥された状態の第二保持部１４が基板１９を持ち替えて保持するから、基板１９と第二保持部１４とが接触する部分が乾燥された状態に保たれ、基板１９の表面のウォーターマークの発生を抑えられて前述のような問題を有効に抑制することができる。
【００８８】
また、基板１９を洗浄液から引上げる引上げ工程において、内槽部１０の洗浄液面を基板１９が通過する際に、基板１９近傍の洗浄液面で気泡が弾けて基板１９の表面に液滴が付着してウォーターマークの発生の原因となるなどの問題があるが、本発明では、前述の泡止部材１５１により、洗浄液中を浮遊し上昇する気泡を基板１９から遠ざけることが出来る。従って、基板１９の表面に気泡が付着し難くするともに、洗浄液面を基板１９が通過する際に、基板１９近傍の洗浄液面で気泡が弾けて基板１９の表面に液滴が付着し難くすることできるので、基板１９の表面にウォーターマークの発生を抑えられ、前述のような問題を有効に抑制することができる。
【００８９】
基板１９の表面のうち、洗浄液から引上げられた部分に付着している洗浄液は、チャンバ部１１内の雰囲気（温度および湿度が適度に調整された乾燥用気体）中に置かれ、熱源部１１０から熱を基板１９の表面に放射することにより、かつ、基板１９が蓄熱されていることから速やかに蒸発し、基板１９の乾燥が進行（ステップＳ１４）する。本実施例では、基板保持搬送部１５０による基板１９の移動速度（引上げ速度）は、制御部１８により制御することができ、基板１９の形状・大きさなどの状態や洗浄液の温度などによって、速度を適宜調整・設定することができる。
【００９０】
また、基板１９を洗浄液から引上げる引上げ工程において、天井部１２と液面間の狭い空間を保持しながらゆっくりと上昇させることにより、天井部１２に設けた気体吹出口１２０から乾燥用気体を層流状態で基板に吹き付けることができる。その上、液面が乱されることがないので、一旦、乾燥された基板１９の表面に洗浄液が再度付着したり、蒸気が逸散したりすることがなく、気体排出口１１１から効率よく排出することができる。
【００９１】
上記実施例においては、チャンバ部１１内に露出した基板１９を外部からの熱源により乾燥させるために、外部に熱源部１１０を設けてあるが、熱源部１１０を設けず、乾燥用気体のみにより、基板１９の表面を乾燥するようにしても良い。
【産業上の利用可能性】
【００９２】
本発明に係る基板処理装置１は、半導体ウェハだけでなく、フォトマスク用ガラス基板、液晶表示装置用ガラス基板、石英ガラス基板、光ディスク基板、磁気ディスク用基板、光学水晶基板、水晶発振子、光学ローパスフィルタ等の基板の製造に有効に利用できる。
【符号の説明】
【００９３】
１  基板処理装置
１０  内槽部
１１  チャンバ部
１１０  熱源部
１１１  気体排出口
１２  天井部
１２０  気体吹出口
１３  第一保持部
１４  第二保持部
１５０  基板保持搬送部
１５１  泡止部材
１５２  エアシリンダ
１６  リフタ部
１７  循環ユニット
１７０  補助槽部
１７１  加熱装置
１７２  浄化装置
１８  制御部
１９  基板
【図１】
2019096784.tif 000003
【図２】
2019096784.tif 000004
【図３】
2019096784.tif 000005
【図４】
2019096784.tif 000006
【図５】
2019096784.tif 000007
【図６】
2019096784.tif 000008
【手続補正書】
【提出日】平成30年11月12日(2018.11.12)
【手続補正１】
【補正対象書類名】特許請求の範囲
【補正対象項目名】請求項５
【補正方法】変更
【補正の内容】
【請求項５】
前記天井部は、乾燥用気体をチャンバ部内に供給する気体吹出口を有し、チャンバ部は乾燥用気体を排出する気体排出口を有することを特徴とする請求項２に記載の基板処理装置。
【手続補正２】
【補正対象書類名】特許請求の範囲
【補正対象項目名】請求項８
【補正方法】変更
【補正の内容】
【請求項８】
基板保持搬送部は、複数の基板を保持搬送でき、泡止部材は、複数の基板の鉛直投影領域を連続的にまたは個別に覆う板状部材であることを特徴とする請求項１に記載の半導体処理装置。